(57)【要約】【課題】ユーザの健康についての多面的な分析結果を提供する。【解決手段】ユーザの健康に関連する健康情報を分析して分析結果を示す分析結果情報を作成するための複数の分析プログラムを、当該分析プログラムの作成者を識別するための作成者識別情報とともに取得する分析プログラム取得部１０６と、互いに関連付けられた分析プログラム及び作成者識別情報を記憶するための記憶部１０２と、分析プログラムを実行する実行部１０４と、複数の分析プログラムのうちの１つを選択するための選択情報をユーザから受け付ける選択情報受付部１０３と、選択情報に基づいて、選択された分析プログラムが実行部１０４によって実行されて作成された分析結果情報に基づき分析結果を表示部１３３に表示させる表示制御部１０５と、を備えている。【選択図】図１
2011258080.tif 000002
【特許請求の範囲】
【請求項１】
ユーザの健康に関連する健康情報を分析して分析結果を示す分析結果情報を作成するための複数の分析プログラムを、当該分析プログラムの作成者を識別するための作成者識別情報とともに取得する分析プログラム取得手段と、
互いに関連付けられた上記分析プログラム及び上記作成者識別情報を記憶するための記憶部と、
上記分析プログラムを実行する実行手段と、
上記複数の分析プログラムのうちの１つを選択するための選択情報をユーザから受け付ける選択情報受付手段と、
上記選択情報に基づいて、選択された分析プログラムが上記実行手段によって実行されて作成された上記分析結果情報に基づき分析結果を表示部に表示させる表示制御手段と、を備えていることを特徴とする健康情報分析装置。
【請求項２】
商品の広告を示す複数の商品広告情報を取得する商品広告情報取得手段を備えており、
上記分析プログラムは、上記複数の商品広告情報のうちユーザに提示すべき商品広告情報を選択するものであり、
上記表示制御手段は、上記選択情報に基づいて、選択された分析プログラムが上記実行手段によって実行されて選択する上記商品広告情報を表示部に表示させるものであることを特徴とする請求項１に記載の健康情報分析装置。
【請求項３】
上記表示部に表示された商品広告情報に示される商品を購入することを示す購入情報をユーザから取得する購入情報取得手段と、
上記分析プログラムが選択した商品が購入されることによって生じる売上げを示す売上げ情報を、当該分析プログラムを識別する分析プログラム識別情報と関連付ける売上げ情報管理手段と、
上記複数の分析プログラムのうちいずれを実行するかをユーザに選択させるための分析プログラム選択画面を表示部に表示させる分析プログラム表示制御手段とを備えており、
上記売上げ情報管理手段は、
上記購入情報取得手段が上記購入情報を取得したときに、当該購入情報に対応する商品を選択した上記分析プログラムに対応する上記分析プログラム識別情報に関連付けられている上記売上げ情報を、上記購入情報に基づいて更新するものであり、
上記分析プログラム表示制御手段は、上記売上げ情報に基づき、売上げが多い分析プログラムから順に表示させるものであることを特徴とする請求項２に記載の健康情報分析装置。
【請求項４】
ユーザによる上記分析プログラムの評価を示す評価情報を取得する評価情報取得手段を備えていることを特徴とする請求項１〜３のいずれか１項に記載の健康情報分析装置。
【請求項５】
上記購入情報に基づき、当該購入情報に対応する商品の購入処理を行なう購入処理手段を備えており、
上記購入処理手段は、売上金の一部を、上記商品を選択した上記分析プログラムを提供した者の口座に払い込むものであることを特徴とする請求項３に記載の健康情報分析装置。
【請求項６】
上記健康情報を取得する健康情報取得手段と、
上記健康情報取得手段が取得していない健康情報を分析対象とする分析プログラム、及び当該健康情報を測定することが可能な商品を示す商品広告情報を、表示部に表示させる新規項目提案手段と、
を備えていることを特徴とする請求項１〜５のいずれか１項に記載の健康情報分析装置。
【請求項７】
上記新規項目提案手段は、上記健康情報取得手段が取得していない健康情報を分析対象とする分析プログラムのうち、関連付けられている評価情報に基づいて評価が高いものから順に表示部に表示させるものであることを特徴とする請求項６に記載の健康情報分析装置。
【請求項８】
上記新規項目提案手段は、上記健康情報取得手段が取得していない健康情報を分析対象とする分析プログラムのうち、払い込まれた売上金の総額が大きいものから順に表示部に表示させるものであることを特徴とする請求項６に記載の健康情報分析装置。
【請求項９】
上記分析プログラムは、表示部の分析結果表示領域内に上記分析結果を描画するための画像情報を示す分析結果情報を作成するものであることを特徴とする請求項１〜８のいずれか１項に記載の健康情報分析装置。
【請求項１０】
上記実行手段は、
上記選択情報受付手段が上記選択情報を受け付ける前に上記分析プログラムを実行するものであり、
上記表示制御手段は、
上記選択情報受付手段が上記選択情報を受け付けた後に、当該選択情報に対応する分析プログラムから作成された分析結果情報に基づく分析結果を表示部に表示させるものであることを特徴とする請求項１〜９のいずれか１項に記載の健康情報分析装置。
【請求項１１】
上記実行手段は、選択情報を上記選択情報受付手段が受け付けた回数が多い上記分析プログラムから順に実行するものであることを特徴とする請求項１０に記載の健康情報分析装置。
【請求項１２】
上記実行手段は、関連付けられている評価情報に基づく評価が高いものから順に上記分析プログラムを実行するものであることを特徴とする請求項１０に記載の健康情報分析装置。
【請求項１３】
上記実行手段は、払い込まれた売上金の総額が大きい上記分析プログラムから順に実行するものであることを特徴とする請求項１０に記載の健康情報分析装置。
【請求項１４】
上記健康情報は、上記ユーザの体重、血圧、体脂肪率、心電、血糖値、歩数、身体活動量、食事記録、及び食事写真からなる群より選択されるものであることを特徴とする請求項１〜１３のいずれか１項に記載の健康情報分析装置。
【請求項１５】
上記記憶部には、上記作成者識別情報と、当該作成者識別情報に関連付けられた暗号情報とが予め記憶されており、
上記分析プログラム取得手段は、上記分析プログラムを取得する際に、上記作成者識別情報と暗号情報とを取得し、当該暗号情報が、取得した作成者識別情報に関連付けられた暗号情報と一致するか否かを判定し、一致した場合に上記分析プログラムを取得するものであることを特徴とする請求項１〜１４のいずれか１項に記載の健康情報分析装置。
【請求項１６】
上記記憶部には、商品広告情報の提供者を識別するための広告提供者識別情報と、当該広告提供者識別情報に関連付けられた暗号情報とが予め記憶されており、
上記商品広告情報取得手段は、上記商品広告情報を取得する際に、上記広告提供者識別情報と暗号情報とを取得し、当該暗号情報が、取得した広告提供者識別情報に関連付けられた暗号情報と一致するか否かを判定し、一致した場合に上記商品広告情報を取得するものであることを特徴とする請求項２〜１５のいずれか１項に記載の健康情報分析装置。
【請求項１７】
請求項１〜１６のいずれか１項に記載の健康情報分析装置と、上記表示部を備えた健康支援端末とを含むことを特徴とする健康支援システム。
【請求項１８】
請求項１〜１６のいずれか１項に記載の健康情報分析装置が備える各手段又は各部として、コンピュータを動作させる制御プログラム。
【請求項１９】
請求項１８に記載の制御プログラムを記録したコンピュータ読み取り可能な記録媒体。
【発明の詳細な説明】
【技術分野】
【０００１】
本発明は、ユーザの健康を支援するための健康情報分析装置、及びこれを含む健康支援システムに関する。
【背景技術】
【０００２】
特許文献１に記載された健康支援プログラムは、健康状態に関連する複数の設問データを対象者に対して提示し、この設問に対する対象者の回答データに基づいて評価し、得られた評価データと、評価の低い点について推定される原因と、改善すべき項目の改善策とを提示するとともに、この改善策の実施に適した商品乃至サービスを紹介するものである。
【０００３】
特許文献２に記載された栄養分析システムは、消費者が購入する食品類の品目情報に対応する栄養情報をデータベースから読み出して購入食品類の栄養データを計算し、計算された栄養データが適切な数値か否かを判断する分析部を備えたサーバを含むものである。
【０００４】
特許文献３に記載された歯科衛生商品販売促進装置は、顧客の基本的な属性を訪ねる質問である基本質問、および歯の健康状態を判定するための質問である複数の問診に対する回答の総てに基づいて、該基本質問の回答別に用意され該問診に対する回答の総てに対応した総合的な診断から選択して提示するものである。
【０００５】
特許文献４に記載されたサプリメント販売支援システムにおける分析結果管理用サーバは、顧客の食した食事の栄養素に関する分析結果と、当該分析結果に対応するサプリメントの情報であるサプリメント情報と、前記顧客の固有情報である顧客情報とを対応付けてなる分析結果対応サプリメント情報を保存するものである。そして、サプリメントを販売する店舗に配設された分析結果対応サプリメント情報出力用端末からの取得要求に応じて、当該取得要求に対応する前記分析結果対応サプリメント情報を選択し、その情報を当該分析結果対応サプリメント情報出力用端末に送信するものである。
【０００６】
特許文献５に記載の健康管理アドバイス提供装置は、ユーザが使用するバイタルデータ計測装置からユーザのバイタルデータの測定結果を取得して、健康管理データとしてユーザ毎に記憶しており、ネットワークを介して取得した当該ユーザの健康情報からユーザの健康に関する目標を取得し、当該目標と、当該健康管理データから得られる実績とを比較分析するものである。そして、その比較分析結果からユーザの異常データを検出し、該異常データに対応付けられたアドバイス情報をユーザ端末に送信するものである。
【０００７】
非特許文献１に記載の高性能健康測定機器は、ユーザの身体・生体情報を日常的かつ総合的に計測可能な健康モニター機器であり、計測されたデータをデータセンターに集積するものである。そして、非特許文献１には、このデータセンターのデータを解析することによって診断支援を可能にする健康情報解析システム技術が記載されている。
【先行技術文献】
【特許文献】
【０００８】
【特許文献１】特開２００５−１２２３１４号公報（２００５年５月１２日公開）
【特許文献２】特開２００４−１７８２２７号公報（２００４年６月２４日公開）
【特許文献３】特開２００６−２３５８０９号公報（２００６年９月７日公開）
【特許文献４】特開２００６−３５０４５７号公報（２００６年１２月２８日公開）
【特許文献５】特開２００８−２６２５０４号公報（２００８年１０月３０日公開）
【非特許文献】
【０００９】
【非特許文献１】“ホームヘルスケアのための高性能健康測定機器開発”［online］、独立行政法人  新エネルギー・産業技術総合開発機構（ＮＥＤＯ）、（２０１０年４月７日検索）、インターネット＜ＵＲＬ：http://www.nedo.go.jp/library/index.html＞
【発明の概要】
【発明が解決しようとする課題】
【００１０】
しかしながら、特許文献１〜５に記載された技術は、同一の作成者又は作成団体によって作成されたプログラムを用いて分析するものであり、多面的な分析をすることができないという問題がある。また、非特許文献１にも、複数の作成者又は作成団体が作成した分析プログラムを用いる具体的な方法については記載されていない。
【００１１】
したがって、上述した従来技術では、一面的な分析結果しか得られず、ユーザの健康状態の分析を精度よく行なうことができない。
【００１２】
本発明は、上記の従来技術が有する問題に鑑みてなされたものであり、その目的は、ユーザの健康についての多面的な分析結果を提供することにある。
【課題を解決するための手段】
【００１３】
上記の課題を解決するために、本発明に係る健康情報分析装置は、ユーザの健康に関連する健康情報を分析して分析結果を示す分析結果情報を作成するための複数の分析プログラムを、当該分析プログラムの作成者を識別するための作成者識別情報とともに取得する分析プログラム取得手段と、互いに関連付けられた上記分析プログラム及び上記作成者識別情報を記憶するための記憶部と、上記分析プログラムを実行する実行手段と、上記複数の分析プログラムのうちの１つを選択するための選択情報をユーザから受け付ける選択情報受付手段と、上記選択情報に基づいて、選択された分析プログラムが上記実行手段によって実行されて作成された上記分析結果情報に基づき分析結果を表示部に表示させる表示制御手段と、を備えていることを特徴とする。
【００１４】
上記の構成であれば、健康情報分析装置は、分析プログラム取得手段によって、異なる作成者によって作成された複数の分析プログラムを取得することができる。また、実行手段が、記憶部に記憶されたそれぞれの分析プログラムを実行することによって、同じ健康情報から複数の分析結果情報を作成することができる。さらに、表示制御手段がこれらの複数の分析結果情報の分析結果をそれぞれ表示部に表示させることによって、ユーザの健康状態を種々の側面から分析した結果をユーザに提供することができる。そのため、これらの複数の分析結果を参照することによって、ユーザに、種々の健康情報どうしの重要な因果関係などを見出させることが可能となる。このように、本発明は、ユーザの健康に関する多面的な分析結果を提供することができる。
【００１５】
また、実行手段が、ユーザから受け付けた選択情報に基づいて分析プログラムを実行することによって、ユーザに自由に実行する分析プログラムを選択させることができるため、所望の分析結果を提供することができる。
【００１６】
また、本発明に係る健康情報分析装置では、商品の広告を示す複数の商品広告情報を取得する商品広告情報取得手段を備えており、上記分析プログラムは、上記複数の商品広告情報のうちユーザに提示すべき商品広告情報を選択するものであり、上記表示制御手段は、上記選択情報に基づいて、選択された分析プログラムが上記実行手段によって実行されて選択する上記商品広告情報を表示部に表示させるものであることが好ましい。
【００１７】
上記の構成であれば、健康情報分析装置は、分析プログラムに基づいて、ユーザの健康を分析した分析結果とともに、ユーザの健康を支援するための商品広告情報をユーザに提供することができる。また、健康情報分析装置は、複数の提供者から商品広告情報を取得することが可能であり、分析プログラムに基づいて多数の商品広告情報の中からユーザの健康状態の改善などに最適な商品をユーザに提供することが可能となる。
【００１８】
これにより、商品広告情報の提供者は、健康情報分析装置が取得している分析プログラムを利用して、ユーザに商品広告情報を提供することができるため、提供者自身が分析プログラムを作成する必要がなく、開発コストを抑えることができる。
【００１９】
また、本発明に係る健康情報分析装置では、上記表示部に表示された商品広告情報に示される商品を購入することを示す購入情報をユーザから取得する購入情報取得手段と、上記分析プログラムが選択した商品が購入されることによって生じる売上げを示す売上げ情報を、当該分析プログラムを識別する分析プログラム識別情報と関連付ける売上げ情報管理手段と、上記複数の分析プログラムのうちいずれを実行するかをユーザに選択させるための分析プログラム選択画面を表示部に表示させる分析プログラム表示制御手段とを備えており、上記売上げ情報管理手段は、上記購入情報取得手段が上記購入情報を取得したときに、当該購入情報に対応する商品を選択した上記分析プログラムに対応する上記分析プログラム識別情報に関連付けられている上記売上げ情報を、上記購入情報に基づいて更新するものであり、上記分析プログラム表示制御手段は、上記売上げ情報に基づき、売上げが多い分析プログラムから順に表示させるものであることが好ましい。
【００２０】
上記の構成であれば、健康情報分析装置は、売上げ情報管理手段によって、分析プログラムにより選択された商品広告情報に示される商品が購入されることにより生じる売上げを、分析プログラムごとに管理することができる。また、健康情報分析装置は、分析プログラム表示制御手段によって、売上げが多い分析プログラムから順に表示させることにより、売上げが多い分析プログラムを少ないものよりもユーザの目に留まりやすいように表示させることができる。
【００２１】
ここで、売上げが多い分析プログラムは、他のものよりも高い精度にて分析を行なうことができ、ユーザの健康状態により適した商品広告を提供できるなどの理由によって、ユーザに頻繁に選択されて実行されている、優れた分析プログラムである可能性が高い。したがって、分析プログラム表示制御手段は、より優れた分析プログラムから順に表示させることができ、ユーザに高精度の分析結果及び適した商品広告を提供することが可能となる。また、このような優れた分析プログラムが実行される頻度を上げることができ、これによって表示された商品広告情報の商品の販売をさらに促進できる。
【００２２】
また、本発明に係る健康情報分析装置では、ユーザによる上記分析プログラムの評価を示す評価情報を取得する評価情報取得手段を備えていることが好ましい。
【００２３】
上記の構成であれば、複数の分析プログラムについて、それぞれユーザの評価を取得することができるため、評価の高い分析プログラムから実行するなどの制御が可能となり、ユーザの満足度を向上させることができる。
【００２４】
また、本発明に係る健康情報分析装置では、上記購入情報に基づき、当該購入情報に対応する商品の購入処理を行なう購入処理手段を備えており、上記購入処理手段は、売上金の一部を、上記商品を選択した上記分析プログラムを提供した者の口座に払い込むものであることが好ましい。
【００２５】
上記の構成であれば、分析プログラムを提供した者は、その分析プログラムが選択した商品広告情報の商品が購入されることによって収益を得ることができる。また、ユーザによって頻繁に選択される分析プログラムを提供した者は、その分析プログラムが選択した商品広告情報の商品が購入される可能性が高くなるため、より高い収益を得ることが可能になる。そのため、健康情報分析装置は、分析プログラムを提供する者に対し、より優れた分析プログラムを提供する意欲を高めることができ、その結果より優れた分析プログラムを取得することが可能になる。
【００２６】
したがって、本発明に係る健康情報分析装置を長期的に使用することによって、取得する分析プログラムの質的な向上が見込まれるので、結果的にユーザによりよい分析結果および商品広告の提供を行なうことが可能になる。
【００２７】
また、本発明に係る健康情報分析装置では、上記健康情報を取得する健康情報取得手段と、上記健康情報取得手段が取得していない健康情報を分析対象とする分析プログラム、及び当該健康情報を測定することが可能な商品を示す商品広告情報を、表示部に表示させる新規項目提案手段と、を備えていることが好ましい。
【００２８】
上記の構成であれば、健康情報分析装置は、新規項目提案手段によって、まだ取得していない健康情報を取得して送信するようユーザに積極的に促すことができる。また、その結果、この健康情報をユーザから取得した場合には、そのユーザの健康情報に対して実行可能な分析プログラムが増えるため、健康情報分析装置は、より多くの分析プログラムによってユーザの健康情報を多面的に分析することが可能となる。
【００２９】
また、本発明に係る健康情報分析装置では、上記新規項目提案手段は、上記健康情報取得手段が取得していない健康情報を分析対象とする分析プログラムのうち、関連付けられている評価情報に基づいて評価が高いものから順に表示部に表示させるものであることが好ましい。
【００３０】
上記の構成であれば、健康情報分析装置は、評価の高い分析プログラムから順に、これを新たに実行可能にするためにユーザに健康情報を取得して送信するよう促すことができる。ここで、評価が高い分析プログラムは、他のものよりも高い精度にて分析を行なうことができ、ユーザの健康状態により適した商品広告を提供できるなどの理由によって、ユーザからの評価が高いもの、すなわち優れた分析プログラムである可能性が高い。したがって、健康情報分析装置は、この健康情報をユーザから取得した場合には、そのユーザの健康情報に対してより優れた分析プログラムを実行することが可能となり、結果的にユーザによりよい分析結果および商品広告の提供を行なうことが可能になる。
【００３１】
また、本発明に係る健康情報分析装置では、上記新規項目提案手段は、上記健康情報取得手段が取得していない健康情報を分析対象とする分析プログラムのうち、払い込まれた売上金の総額が大きいものから順に表示部に表示させるものであることが好ましい。
【００３２】
上記の構成であれば、健康情報分析装置は、売上金の総額が大きい分析プログラムから順に、これを新たに実行可能にするためにユーザに健康情報を取得して送信するよう促すことができる。したがって、健康情報分析装置は、この健康情報をユーザから取得した場合には、そのユーザの健康情報に対してより優れた分析プログラムを実行することが可能となり、結果的にユーザによりよい分析結果および商品広告の提供を行なうことが可能になる。
【００３３】
また、本発明に係る健康情報分析装置では、上記分析プログラムは、表示部の分析結果表示領域内に上記分析結果を描画するための画像情報を示す分析結果情報を作成するものであることが好ましい。
【００３４】
上記の構成であれば、健康情報分析装置は、分析プログラムの作成者に、分析結果を自由に描画させることができるため、分析結果を多様な方法でユーザに提供することが可能となる。
【００３５】
また、本発明に係る健康情報分析装置では、上記実行手段は、上記選択情報受付手段が上記選択情報を受け付ける前に上記分析プログラムを実行するものであり、上記表示制御手段は、上記選択情報受付手段が上記選択情報を受け付けた後に、当該選択情報に対応する分析プログラムから作成された分析結果情報に基づく分析結果を表示部に表示させるものであることが好ましい。
【００３６】
上記の構成であれば、健康情報分析装置は、ユーザからの選択情報を受け付ける前に分析結果情報を作成しておくことができるため、選択情報を受け付けた後、ユーザを待たせることなく分析結果を提供することが可能となる。
【００３７】
また、本発明に係る健康情報分析装置では、上記実行手段は、選択情報を上記選択情報受付手段が受け付けた回数が多い上記分析プログラムから順に実行するものであることが好ましい。
【００３８】
上記の構成であれば、実行手段は、ユーザによって選択された回数が多い順に分析プログラムを実行するため、例えば選択情報を受け付ける前に実行する分析プログラムの数が予め定められている場合には、選択される可能性の高い分析プログラムを優先的に実行しておくことが可能となる。
【００３９】
また、本発明に係る健康情報分析装置では、上記実行手段は、関連付けられている評価情報に基づく評価が高いものから順に上記分析プログラムを実行するものであることが好ましい。
【００４０】
上記の構成であれば、実行手段は、評価が高い順に分析プログラムを実行するため、例えば選択情報を受け付ける前に実行する分析プログラムの数が予め定められている場合には、評価が高い分析プログラムを優先的に実行しておくことができる。したがって、少なくとも評価が高い分析プログラムが選択された場合には、ユーザを待たせることなく分析結果を提供することが可能となる。
【００４１】
また、本発明に係る健康情報分析装置では、上記実行手段は、払い込まれた売上金の総額が大きい上記分析プログラムから順に実行するものであることが好ましい。
【００４２】
上記の構成であれば、実行手段は、売上金の総額が大きい順に分析プログラムを実行するため、例えば選択情報を受け付ける前に実行する分析プログラムの数が予め定められている場合には、売上金の総額が大きい分析プログラムを優先的に実行しておくことができる。したがって、少なくとも売上金の総額が大きい分析プログラムが選択された場合には、ユーザを待たせることなく分析結果を提供することが可能となる。
【００４３】
また、本発明に係る健康情報分析装置では、上記健康情報は、上記ユーザの体重、血圧、体脂肪率、心電、血糖値、歩数、身体活動量、食事記録、及び食事写真からなる群より選択されるものであることが好ましい。
【００４４】
また、本発明に係る健康情報分析装置では、上記記憶部には、上記作成者識別情報と、当該作成者識別情報に関連付けられた暗号情報とが予め記憶されており、上記分析プログラム取得手段は、上記分析プログラムを取得する際に、上記作成者識別情報と暗号情報とを取得し、当該暗号情報が、取得した作成者識別情報に関連付けられた暗号情報と一致するか否かを判定し、一致した場合に上記分析プログラムを取得するものであることが好ましい。
【００４５】
上記の構成であれば、健康情報分析装置は、予め作成者識別情報を暗号情報とともに登録した者からのみ、分析プログラムを取得することができる。
【００４６】
また、本発明に係る健康情報分析装置では、上記記憶部には、商品広告情報の提供者を識別するための広告提供者識別情報と、当該広告提供者識別情報に関連付けられた暗号情報とが予め記憶されており、上記商品広告情報取得手段は、上記商品広告情報を取得する際に、上記広告提供者識別情報と暗号情報とを取得し、当該暗号情報が、取得した広告提供者識別情報に関連付けられた暗号情報と一致するか否かを判定し、一致した場合に上記商品広告情報を取得するものであることが好ましい。
【００４７】
上記の構成であれば、健康情報分析装置は、予め広告提供者識別情報を暗号情報とともに登録した者からのみ、商品広告情報を取得することができる。
【００４８】
上記の課題を解決するために、本発明に係る健康支援システムは、上述したいずれかの健康情報分析装置と、上記表示部を備えた健康支援端末とを含むことを特徴とする。
【００４９】
上記の構成であれば、健康情報分析装置によって健康支援端末の表示部にユーザの健康についての多面的な分析結果を提供できる健康支援システムを提供することができる。
【００５０】
また、本発明に係る健康情報分析装置は、コンピュータによって実現してもよい。この場合、コンピュータを上記健康情報分析装置として動作させることにより、上記健康情報分析装置をコンピュータにおいて実現する制御プログラム、および、その制御プログラムを記録したコンピュータ読み取り可能な記録媒体も、本発明の範疇に含まれる。
【発明の効果】
【００５１】
本発明に係る健康情報分析装置は、以上のように、ユーザの健康に関連する健康情報を分析して分析結果を示す分析結果情報を作成するための複数の分析プログラムを、当該分析プログラムの作成者を識別するための作成者識別情報とともに取得する分析プログラム取得手段と、互いに関連付けられた上記分析プログラム及び上記作成者識別情報を記憶するための記憶部と、上記分析プログラムを実行する実行手段と、上記複数の分析プログラムのうちの１つを選択するための選択情報をユーザから受け付ける選択情報受付手段と、上記選択情報に基づいて、選択された分析プログラムが上記実行手段によって実行されて作成された上記分析結果情報に基づき分析結果を表示部に表示させる表示制御手段と、を備えているので、ユーザの健康についての多面的な分析結果を提供することができる。
【図面の簡単な説明】
【００５２】
【図１】本発明の一実施形態に係る健康情報分析装置を含む健康支援システムの構成を示すブロック図である。
【図２】本発明に係る健康情報分析装置における消費者、分析及び広告の関係を示す図である。
【図３】本発明の一実施形態に係る健康情報分析装置の健康情報蓄積部が有するデータベース構造の一例を示す図である。
【図４】本発明の一実施形態に係る健康情報分析装置の健康情報蓄積部が有するデータベース構造の一例を示す図である。
【図５】本発明の一実施形態に係る健康情報分析装置の健康情報蓄積部が有するデータベース構造の一例を示す図である。
【図６】本発明の一実施形態に係る健康情報分析装置の分析プログラム蓄積部が有するデータベース構造の一例を示す図である。
【図７】本発明の一実施形態に係る健康情報分析装置の分析プログラム蓄積部が有するデータベース構造の一例を示す図である。
【図８】本発明の一実施形態に係る健康情報分析装置の分析プログラム蓄積部が有するデータベース構造の一例を示す図である。
【図９】本発明の一実施形態に係る健康情報分析装置の商品広告情報蓄積部が有するデータベース構造の一例を示す図である。
【図１０】本発明の一実施形態に係る健康情報分析装置が行なう処理の一例を示すフロー図である。
【図１１】本発明の一実施形態に係る健康情報分析装置の実行部が分析プログラムからの命令にしたがって行なう処理の一例を示すフロー図である。
【図１２】図１１に示す処理によって表示部に表示される画面の一例を示す図である。
【図１３】図１１に示す処理によって表示部に表示される画面の一例を示す図である。
【図１４】図１２に示す画面に表示された「アドバイス」ボタンが選択されることによって表示部に表示される画面の一例を示す図である。
【図１５】本発明の一実施形態に係る健康情報分析装置が健康支援端末の表示部に表示させる新規項目提案画面の一例を示す図である。
【発明を実施するための形態】
【００５３】
以下、本発明の一実施形態について、詳細に説明する。図１は、本発明の一実施形態に係る健康情報分析装置２を含む健康支援システム１の構成を示すブロック図である。まず、健康支援システム１の概要について説明する。
【００５４】
〔健康支援システム１の概要〕
健康支援システム１は、ユーザの健康を支援するためのシステムである。健康支援システム１は、健康情報分析装置２と、健康支援端末３０と、分析プログラム登録端末４０と、商品広告情報登録端末５０とを含むものである。健康情報分析装置２は、健康情報分析サーバ１０及び購入管理サーバ２０を含む。これらは、ネットワークなどを介して接続されている。なお、本実施形態では、健康情報分析装置２が健康情報分析サーバ１０及び購入管理サーバ２０の２つのサーバから構成されている形態について説明するが、本発明に係る健康情報分析装置はこのような形態に限定されず、一つのサーバ等から構成されていてもよい。
【００５５】
健康情報分析サーバ１０は、健康支援端末３０からユーザの健康に関連する健康情報を取得し、この健康情報を分析した分析結果を健康支援端末３０の表示部１３３に表示させるものである。健康情報分析サーバ１０は、分析プログラム登録端末４０から、健康情報を分析するための分析プログラムを取得するとともに、商品広告情報登録端末５０から、商品の広告を示す商品広告情報を取得する。
【００５６】
ユーザの健康に関連する健康情報とは、ユーザの健康状態を示す情報、ユーザの健康に影響を与える情報などをさす。なお、健康情報は、計測機器などにより得られた情報であってもよいし、ユーザが入力装置などを用いて入力したものであってもよい。健康情報としては、例えばユーザの健康状態を示すバイタル情報、ユーザの行動に起因して得られる行動情報などが挙げられる。バイタル情報としては、体重、血圧、体脂肪率、心電、血糖値等が挙げられる。また、行動情報としては、歩数、身体活動量（例えばＭＥＴＳで表される）、食事記録、又は食事写真等が挙げられる。
【００５７】
また、健康情報は、互いに階層を構成するものであってもよい。すなわち、健康情報（第１層）の下層に複数の健康情報（第２層）が含まれており、第２層の健康情報の下層にさらに複数の健康情報（第３層）が含まれていてもよい。例えば、「食事記録」についての健康情報（第１層）には、その下層に「炭水化物」、「ビタミン」、「ミネラル」等の複数の栄養素についての健康情報（第２層）が含まれていてもよく、「ビタミン」についての健康情報（第２層）には、その下層に「ビタミンＡ」、「ビタミンＢ１」、「カルシウム」等の健康情報（第３層）が含まれていてもよい。
【００５８】
分析プログラムは、実行されることによって、後述する実行部１０４に、健康情報を分析して分析結果を示す分析結果情報を作成するための動作と、商品広告情報を選択するための動作とをさせるコンピュータプログラムである。分析プログラムには、分析結果情報を作成するために実行部１０４に対して行なう命令に関連する情報が含まれている。また、分析プログラムには、分析結果情報に基づいて、商品広告情報蓄積部１２３に記憶されている複数の商品広告情報の中からユーザに提示すべき商品広告情報を選択するために実行部１０４に対して行なう命令に関連する情報が含まれている。すなわち、実行部１０４は、分析プログラムからの命令にしたがって、分析結果情報を作成するとともに、ユーザに提示すべき商品広告情報を選択する。
【００５９】
分析プログラムは、このような構成であれば、任意の作成者によって自由に作成されたものであってよい。分析プログラムの作成者は、健康情報分析サーバ１０の実行部１０４が実行可能であれば、任意のプログラミング言語を用いて自由に分析プログラムを作成することが可能である。例えば、分析プログラムは、．ＮＥＴプログラム、Ｊａｖａ（登録商標）プログラム、Ｆｌａｓｈプログラムなどであってもよい。なお、「作成者」とは、分析プログラムを作成した主体をさし、個人であっても、企業等の団体であってもよい。
【００６０】
なお、分析プログラムは、健康支援端末３０における後述する表示部１３３の分析結果表示領域１４１内に分析結果を描画するための画像情報を示す分析結果情報を作成するものであってもよい。これにより、健康支援システム１は、分析プログラムの作成者に、分析結果を自由に描画させることができるため、分析結果を多様な方法でユーザに提供することが可能となる。
【００６１】
商品広告情報とは、商品の広告を表示するための種々の情報、例えば商品の簡単な説明、詳細な説明、画像、価格、メーカーのサイトにおける商品の専用ページへのリンク情報などを示す情報を含むものである。商品とは、例えば食品、運動器具、健康サービスなどを含む。食品としては、例えばサプリメント、生鮮野菜、栄養バランスを考慮した弁当などの種々の食品が挙げられる。また、運動器具としては、例えば血圧計、体重計、体脂肪計、歩数計などの種々の測定機器が挙げられる。また、健康サービスとしては、例えばフィットネスクラブへの入会、栄養士に対する食事アドバイス依頼などが挙げられる。また、商品広告情報には、その商品の内容を示す詳細情報、例えばその商品の成分を示す情報等が含まれてもよい。
【００６２】
「ユーザに提示すべき商品広告情報」とは、分析プログラムによって作成された分析結果情報とともにユーザに提示すべき商品広告情報をさす。分析プログラムには、「ユーザに提示すべき商品広告情報」を選択するための条件を示す商品広告選択条件情報が含まれていてもよく、実行部１０４は、分析プログラムからの命令にしたがって、この商品広告選択条件情報に基づいて商品広告情報を選択してもよい。
【００６３】
商品広告選択条件情報は、例えば、分析結果情報と、ユーザの健康状態を改善させるために効果的な商品の広告を示す商品広告情報とが関連付けられている情報などであってもよい。また、商品広告選択条件情報は、例えば、分析結果情報からユーザに不足する栄養素を抽出し、この栄養素を成分に含む商品の広告を示す商品広告情報を選択するための情報であってもよい。実行部１０４は、作成した分析結果情報と、商品広告選択条件情報とに基づいて、商品広告情報を選択する。
【００６４】
健康情報分析サーバ１０は、複数の分析プログラム登録端末４０のそれぞれから分析プログラムを取得することによって、複数の作成者によってそれぞれ作成された複数の分析プログラムを記憶しておくことができる。健康情報分析サーバ１０は、これらの複数の分析プログラムを用いることによって、ユーザの健康情報を多面的に分析することができる。
【００６５】
また、健康情報分析サーバ１０は、複数の商品広告情報登録端末５０のそれぞれから商品の広告を示す商品広告情報を取得することによって、任意の提供者によって提供された商品広告情報を多数記憶しておくことができる。
【００６６】
分析プログラム登録端末４０は、分析プログラム登録部１５１を備えている。
【００６７】
分析プログラム登録部１５１は、作成者からの指示に基づいて、分析プログラムを健康情報分析サーバ１０に送信する。また、分析プログラム登録部１５１は、健康情報分析サーバ１０に分析プログラムを送信する前または同時に、健康情報分析サーバ１０からの要求に応じて、分析プログラムの作成者を識別するための作成者識別情報と暗号情報とを送信してもよい。なお、「作成者識別情報」は、分析プログラムの作成者に限らず、その作成者から分析プログラムを取得して、健康情報分析サーバ１０に提供した者など、分析プログラムの所有者を識別するための情報であってもよい。分析プログラム登録部１５１は、例えば健康情報分析サーバ１０の分析プログラム登録用ＷＥＢページなどから、作成者識別情報および暗号情報、ならびに分析プログラムを送信することができる。
【００６８】
商品広告情報登録端末５０は、商品広告情報登録部１６１を備えている。
【００６９】
商品広告情報登録部１６１は、商品広告情報の提供者からの指示に基づいて、商品広告情報を健康情報分析サーバ１０に送信する。また、商品広告情報登録部１６１は、健康情報分析サーバ１０に商品広告情報を送信する前または同時に、健康情報分析サーバ１０からの要求に応じて、商品広告情報の提供者を識別するための提供者識別情報と暗号情報とを送信してもよい。商品広告情報登録部１６１は、例えば健康情報分析サーバ１０の商品広告情報登録用ＷＥＢページなどから、提供者識別情報および暗号情報、ならびに商品広告情報を送信することができる。
【００７０】
ここで、図２に、本発明に係る健康情報分析装置を利用する消費者（ユーザ）、分析プログラムによる分析、及び商品の広告の関係を示す。健康情報分析装置２には複数の分析プログラムが登録されている。この分析プログラムが実行されると、分析プログラムによって、消費者の健康状態の傾向などを示す分析結果情報が作成されるとともに、消費者の健康の改善などに効果的な商品の広告が選択される。これらが表示されることによって、消費者は、自己の健康についての分析結果と、健康の改善に効果的な商品とを容易に知ることができる。
【００７１】
健康支援端末３０は、ユーザの健康情報を取得して健康情報分析装置２の健康情報分析サーバ１０に送信し、この健康情報の分析結果と商品広告情報とを健康情報分析サーバ１０から受信して、表示部１３３に表示する端末である。
【００７２】
購入管理サーバ２０は、健康支援端末３０の表示部１３３に表示された商品広告情報に示される商品を購入することを示す購入情報をユーザから取得して、これを処理するためのサーバである。
【００７３】
本実施形態に係る健康情報分析装置２を含む健康支援システム１は、上述した構成によって、ユーザの健康についての多面的な分析結果を提供することができる。
【００７４】
以下、各構成要素について詳細に説明する。
【００７５】
〔健康情報分析サーバ１０〕
健康情報分析サーバ１０は、健康情報取得部（健康情報取得手段）１０１と、記憶部１０２と、選択情報受付部（選択情報受付手段）１０３と、実行部（実行手段）１０４と、表示制御部（表示制御手段）１０５と、分析プログラム取得部（分析プログラム取得手段）１０６と、商品広告情報取得部（商品広告情報取得手段）１０７と、分析プログラム表示制御部（分析プログラム表示制御手段）１０８と、新規項目提案部（新規項目提案手段）１０９とを備えている。
【００７６】
健康情報取得部１０１は、健康支援端末３０の健康情報送信部１３１から健康情報を取得して、記憶部１０２の健康情報蓄積部１２１に記憶させる。また、健康情報取得部１０１は、取得した健康情報に対応するユーザを識別するためのユーザ識別情報、健康情報が取得された日時等を示す情報、測定機器を示す情報などを同時に取得し、健康情報と関連付けて健康情報蓄積部１２１に記憶させる。健康情報取得部１０１は、健康情報を健康情報蓄積部１２１に記憶させるために、例えばＳＱＬなどのデータベース言語を用いてもよい。また、プログラミングにおいては、一般に知られているＪａｖａによって利用可能なＪＤＢＣ、．ＮＥＴ言語によって利用可能なＯＬＥＤＢ．ｎｅｔ、ＯＤＢＣ．ｎｅｔ等、データベースに接続するための種々のミドルウェアを使用することができる。
【００７７】
分析プログラム取得部１０６は、ネットワークを介して分析プログラム登録端末４０から分析プログラムを取得して、分析プログラム蓄積部１２２に記憶させる。分析プログラム取得部１０６は、複数の分析プログラム登録端末４０からプログラムを取得するためのインタフェースを備えていてもよい。また、分析プログラム取得部１０６は、作成者識別情報を分析プログラムとともに取得し、その分析プログラムと関連付けて分析プログラム蓄積部１２２に記憶させる。
【００７８】
なお、記憶部１０２には、作成者識別情報と、暗号情報とが関連付けられて予め記憶されていてもよい。これらは、例えば図示しない登録受付部によって、分析プログラム登録端末４０から取得し、記憶部１０２に記憶されたものであってもよい。そして、分析プログラム取得部１０６は、分析プログラム登録端末４０から分析プログラムを取得する際に、作成者識別情報と暗号情報とを分析プログラム登録端末４０から同時に取得してもよい。
【００７９】
例えば、分析プログラム取得部１０６は、図示しない指示受付部が分析プログラム登録端末４０から分析プログラムを登録する旨の指示を受け付けたときに、分析プログラム登録端末４０に作成者識別情報と暗号情報とを送信するよう要求する。次いで、分析プログラム登録端末４０から取得した作成者識別情報に基づいて記憶部１０２を参照し、取得した暗号情報が、当該作成者識別情報に関連付けられている暗号情報と一致するか否かを判定し、一致した場合に分析プログラムを取得してもよい。これにより、健康情報分析サーバ１０は、予め作成者識別情報を暗号情報とともに登録した者からのみ、分析プログラムを取得することができる。
【００８０】
また、健康情報分析サーバ１０は、分析プログラムの動作を検証するための実行環境を備えた動作検証部を備えていてもよい。動作検証部とは、例えば分析プログラムを登録する者が利用可能な仮想サービスページなどであってもよい。この仮想サービスページを利用することにより、分析プログラムを登録する者及びシステム運用者は、分析プログラムを登録する前または実行する前に、その分析プログラムの安全性を確認することができる。また、この動作検証部は、分析プログラムの動作を検証して安全性が確認された後、安全性を有する分析プログラムであることを示す情報を、分析プログラム蓄積部１２２に記憶されている分析プログラムに関連付けて記憶させてもよい。
【００８１】
商品広告情報取得部１０７は、ネットワークを介して商品広告情報登録端末５０から商品広告情報を取得して、記憶部１０２の商品広告情報蓄積部１２３に記憶させる。商品広告情報取得部１０７は、複数の商品広告情報登録端末５０から商品広告情報を取得するためのインタフェースを備えていてもよい。また、商品広告情報取得部１０７は、広告提供者識別情報を、その商品広告情報とともに取得し、商品広告情報と関連付けて商品広告情報蓄積部１２３に記憶させてもよい。
【００８２】
なお、記憶部１０２には、広告提供者識別情報と暗号情報とが関連付けられて予め記憶されていてもよい。これらは、例えば図示しない登録受付部によって、商品広告情報登録端末５０から取得し、記憶部１０２に記憶されたものであってもよい。そして、商品広告情報取得部１０７は、商品広告情報を取得する際に、広告提供者識別情報と暗号情報とを取得してもよい。
【００８３】
例えば、商品広告情報取得部１０７は、図示しない指示受付部が商品広告情報登録端末５０から商品広告情報を登録する旨の指示を受け付けたときに、商品広告情報登録端末５０に広告提供者識別情報と暗号情報とを送るよう要求する。次いで、商品広告情報登録端末５０から取得した広告提供者識別情報に基づいて記憶部１０２を参照し、取得した暗号情報が、当該広告提供者識別情報に関連付けられている暗号情報と一致するか否かを判定し、一致した場合に商品広告情報を取得してもよい。これにより、健康情報分析サーバ１０は、予め広告提供者識別情報を暗号情報とともに登録した者からのみ、商品広告情報を取得することができる。
【００８４】
記憶部１０２は、健康情報蓄積部１２１と、分析プログラム蓄積部１２２と、商品広告情報蓄積部１２３とを備えている。
【００８５】
健康情報蓄積部１２１は、健康情報取得部１０１が取得した健康情報を記憶する。健康情報蓄積部１２１は、例えば種々のリレーショナルデータベース（ＲＤＢ）等、既知の種類のデータベースを用いて、健康情報を記憶していてもよい。健康情報蓄積部１２１が蓄積する健康情報には、ユーザを識別するためのユーザ識別情報、その健康情報の種別（血圧値、歩数値などの種類）を示す情報、値を示す情報、日（時）情報などが含まれる。健康情報に含まれる情報の種類は、その健康情報の属性、その健康情報を取得するために用いた測定機器などに基づいて、予め定められていてもよい。
【００８６】
分析プログラム蓄積部１２２は、分析プログラム取得部１０６が取得した、互いに関連付けられた分析プログラム及び作成者識別情報を記憶する。また、分析プログラム蓄積部１２２は、分析プログラムを識別するための分析プログラム識別情報と、作成者識別情報と、分析テーブル情報とが関連付けられたものを記憶する。これらの関連付けは、分析プログラム取得部１０６が分析プログラムを取得したときにすでにされていてもよいし、図示しないデータ処理部によって行なわれてもよい。
【００８７】
分析テーブル情報とは、関連付けられている分析プログラム識別情報が示す分析プログラムが分析対象とする健康情報を識別する健康情報識別情報と、その健康情報がその分析プログラムの実行に必須であるか否かを示す必須項目情報と、その健康情報がその分析プログラムの実行に利用可能であるか否かを示す利用可能情報とが関連付けられている情報である。分析テーブル情報は、分析プログラムと関連付けられたものを分析プログラム取得部１０６が分析プログラム登録端末４０から取得してもよいし、図示しないデータ処理部が、取得した分析プログラムに基づいて作成したものであってもよい。
【００８８】
商品広告情報蓄積部１２３は、商品広告情報取得部１０７が取得した商品広告情報を記憶する。商品広告情報蓄積部１２３は、商品広告情報がカテゴリ別に分類されているデータベースを有することが好ましい。なお、商品広告情報が特定のカテゴリに「分類される」とは、商品広告情報が、そのカテゴリを示す識別情報に関連付けられることをいう。商品広告情報は、図示しないデータ処理部によって、各カテゴリを示す識別情報に関連付けられてもよい。図示しないデータ処理部は、商品広告情報に含まれる商品の内容を示す詳細情報などに基づいて、商品広告情報の関連付けを行なう。
【００８９】
商品広告情報蓄積部１２３が有するデータベースは、記憶部１０２に予め記憶されている分類情報に基づいて商品広告情報が分類されたものであってもよい。分類情報とは、商品広告情報を、複数のカテゴリのいずれかに分類するための情報であり、例えば総務省が作成する日本標準商品分類に基づいて分類するものであってもよい。分類情報は、必要に応じて変更され得るものであってもよい。また、分類情報は、分析プログラム登録端末４０及び商品広告情報登録端末５０から閲覧できるものであってもよい。
【００９０】
商品広告情報蓄積部１２３は、分析プログラムが実行されたときに実行部１０４によって参照され、その結果、表示部１３３に表示する商品広告情報が選択される。例えば、ユーザに対する食事の改善提案、健康機器の提案などに利用される。
【００９１】
商品広告情報蓄積部１２３に記憶された商品広告情報は、分析プログラム登録端末４０から閲覧可能であることが好ましい。分析プログラムの作成者は、商品広告情報を参考することによって、分析結果から商品広告情報を選択するためのロジックを容易に構築することができる。
【００９２】
選択情報受付部１０３は、複数の分析プログラムのうちの１つを選択するための選択情報を、健康支援端末３０の選択情報送信部１３２から受け付ける。
【００９３】
実行部１０４は、分析プログラム蓄積部１２２に記憶されている分析プログラムを実行し、分析プログラムからの命令にしたがって分析結果情報を作成するとともに、ユーザに提示すべき商品広告情報を選択する。実行部１０４は、分析プログラム蓄積部１２２に記憶されている分析プログラムを、図示しないメモリ上にロードして実行してもよい。実行部１０４は、作成した分析結果情報と、選択した商品広告情報とを表示制御部１０５に送信する。
【００９４】
実行部１０４は、選択情報受付部１０３が選択情報を受け付けたときに、その選択情報が示す分析プログラムを実行するものであってもよい。これにより、ユーザの要求に応じて実行するものであってもよい。
【００９５】
また、実行部１０４は、選択情報受付部１０３が選択情報を受け付けているか否かに関わらず、分析プログラムを実行するものであってもよい。例えば実行部１０４は、健康情報取得部１０１が健康情報を取得したときに、取得した健康情報を分析対象とする分析プログラムを実行してもよい。このような場合には、実行部１０４は、図示しない一時記憶部に、作成した分析結果情報と、選択した商品広告情報とを、実行した分析プログラムを示す分析プログラム識別情報と関連付けて記憶させてもよい。そして、選択情報受付部１０３が選択情報を受け付けたときに、その選択情報が示す分析プログラムを示す分析プログラム識別情報と関連付けられている分析結果情報と商品広告情報とを、表示制御部１０５に送信してもよい。
【００９６】
これにより、健康情報分析サーバ１０は、ユーザからの選択情報を受け付ける前に分析結果情報を作成し、また商品広告情報を選択しておくことができるため、選択情報を受け付けた後、ユーザを待たせることなく分析結果および商品広告を提供することが可能となる。
【００９７】
この場合に、実行部１０４は、例えば選択情報を選択情報受付部１０３が受け付けた回数が多い分析プログラムから順に実行するものであってもよい。例えば、選択情報受付部１０３は、分析プログラム識別情報と、受け付けた回数を示す回数情報とを関連付けており、選択情報を受け付けたときに、その選択情報が示す分析プログラムに関連付けられている回数情報を更新してもよい。そして、実行部１０４は、この回数情報を参照し、最も多い回数についての回数情報が関連付けられている分析プログラムから順に実行してもよい。
【００９８】
これにより、実行部１０４は、ユーザによって選択された回数が多い順に分析プログラムを実行するため、例えば選択情報を受け付ける前に実行する分析プログラムの数が予め定められている場合には、選択される可能性の高い分析プログラムを優先的に実行しておくことが可能となる。
【００９９】
また、実行部１０４は、関連付けられている評価情報に基づく評価が高いものから順に分析プログラムを実行するものであってもよい。実行部１０４は、後述する評価情報取得部１１０が分析プログラム識別情報と関連付けている評価情報に基づき、各分析プログラムについての評価を比較することができる。
【０１００】
これにより、実行部１０４は、評価が高い順に分析プログラムを実行するため、例えば選択情報を受け付ける前に実行する分析プログラムの数が予め定められている場合には、評価が高い分析プログラムを優先的に実行しておくことができる。したがって、少なくとも評価が高い分析プログラムが選択された場合には、ユーザを待たせることなく分析結果を提供することが可能となる。
【０１０１】
また、実行部１０４は、購入処理部１１２が払い込んだ売上金の総額が大きい分析プログラムから順に実行するものであってもよい。実行部１０４は、後述する売上げ情報管理部１１３が分析プログラム識別情報と関連付けている売上げ情報に基づき、各分析プログラムについての購入処理部１１２が払い込んだ売上金の総額を比較することができる。
【０１０２】
これにより、実行部１０４は、売上金の総額が大きい順に分析プログラムを実行するため、例えば選択情報を受け付ける前に実行する分析プログラムの数が予め定められている場合には、売上金の総額が大きい分析プログラムを優先的に実行しておくことができる。したがって、少なくとも売上金の総額が大きい分析プログラムが選択された場合には、ユーザを待たせることなく分析結果を提供することが可能となる。
【０１０３】
なお、実行部１０４が選択情報を受け付けてから実行するか、その前に予め実行するかは、予め設定されていてもよい。また、ユーザに対応して異なる設定がなされていてもよく、時間帯によって異なる設定がなされていてもよい。例えば、頻繁にアクセスするユーザに対しては、選択情報を受け付ける前に実行するように設定されていてもよい。
【０１０４】
「分析結果情報」とは、健康情報を分析した結果（分析結果）を分析結果表示領域１４１に表示するための情報であり、例えば分析結果を描画するための画像情報を示すものであってもよい。後述する表示制御部１０５は、分析結果情報に基づいて、例えばグラフなどの画像、アドバイスなどのテキストなどにより分析結果を表示することができる。
【０１０５】
表示制御部１０５は、実行部１０４から受信した分析結果情報に基づき、分析結果を表示部１３３の分析結果表示領域１４１に表示させる。また、実行部１０４から受信した商品広告情報を、表示部１３３の商品広告表示領域１４２に表示させる。これにより、表示制御部１０５は、選択情報に基づいて、選択された分析プログラムが実行部１０４によって実行されて作成した分析結果情報における分析結果と、選択した商品広告情報とを、表示部１３３に表示させるものである。
【０１０６】
なお、表示制御部１０５は、商品広告表示領域１４２に表示させるためのユーザインタフェース画面を作成して表示させてもよい。また、表示制御部１０５は、健康情報分析サーバ１０内にある、商品広告情報からユーザインタフェースを作成するための図示しないＡＰＩ（application programming interface）を利用して、ユーザインタフェース画面を作成して表示させてもよい。
【０１０７】
分析プログラム表示制御部１０８は、複数の分析プログラムのうちいずれを実行するかをユーザに選択させるための分析プログラム選択画面を、表示部１３３の分析プログラム表示領域１４３に表示させる。分析プログラム表示制御部１０８は、分析プログラム蓄積部１２２から分析プログラム識別情報を取得して、これに基づいて分析プログラム選択画面を作成し、分析プログラム表示領域１４３に表示させる。
【０１０８】
分析プログラム表示制御部１０８は、分析プログラム蓄積部１２２に記憶されている分析プログラムを全て表示させてもよいが、全ての分析プログラムのうち、分析対象となっている健康情報が健康情報蓄積部１２１に記憶されているものについてのみ、分析プログラム表示領域１４３に表示させてもよい。
【０１０９】
また、分析プログラム表示制御部１０８は、関連付けられている評価情報に基づく評価が高いものから順に分析プログラムを表示させてもよい。分析プログラム表示制御部１０８は、後述する評価情報取得部１１０が分析プログラム識別情報と関連付けている評価情報に基づき、各分析プログラムについての評価を比較することができる。
【０１１０】
また、分析プログラム表示制御部１０８は、分析プログラム蓄積部１２２から取得した分析プログラム識別情報が示す分析プログラムについて、購入処理部１１２が払い込んだ売上金の総額が大きい分析プログラムから順に表示させてもよい。分析プログラム表示制御部１０８は、後述する売上げ情報管理部１１３が分析プログラム識別情報と関連付けている売上げ情報に基づき、各分析プログラムについての購入処理部１１２が払い込んだ売上金の総額を比較することができる。
【０１１１】
ここで、「順に表示させる」とは、この順に分析プログラムを選択して表示させることをさす。例えば表示させる分析プログラムの数が予め定められている場合には、定められている数の分析プログラムをこの順に選択して表示させることを意味する。また、分析プログラム表示領域１４３に、この順に上から下に並べて表示することをも意味する。
【０１１２】
また、分析プログラム表示制御部１０８は、上述した順で分析プログラムを表示するとともに、その評価、売上げ等が高い順に相対的に点数付けして、その点数を表す記号を分析プログラムとともに表示してもよい。例えば、分析プログラムの評価が相対的に高いものから低いものまで５点〜１点に点数付けし、５点の分析プログラムには、５個の星の記号を表示してもよい。
【０１１３】
このような構成であれば、健康情報分析サーバ１０は、分析プログラム表示制御部１０８によって、売上げが多い分析プログラム又は評価が高い分析プログラムから順に表示させることにより、売上げが多い分析プログラム又は評価が高い分析プログラムを、他のものよりもユーザの目に留まりやすいように表示させることができる。ここで、売上げが多い分析プログラム又は評価が高い分析プログラムは、他のものよりも高い精度にて分析を行なうことができ、ユーザの健康状態により適した商品広告を提供できるなどの理由によって、ユーザに頻繁に選択されて実行されていたり、評価が高かったりするものであり、優れた分析プログラムである可能性が高い。したがって、分析プログラム表示制御部１０８は、より優れた分析プログラムから順に表示させることができ、ユーザに高精度の分析結果及び適した商品広告を提供することが可能となる。また、このような優れた分析プログラムが実行される頻度を上げることができ、これによって表示された商品広告情報の商品の販売をさらに促進できる。
【０１１４】
また、分析プログラム表示制御部１０８は、図示しない動作検証部によって動作が検証され、安全性が確認された分析プログラムについてのみ表示させてもよい。
【０１１５】
また、分析プログラム表示制御部１０８は、分析プログラムを複数表示させてもよいし、１つのみ表示させてもよい。
【０１１６】
新規項目提案部１０９は、新規項目提案画面を、表示部１３３の新規項目提案表示領域１４４に表示させる。新規項目提案画面は、健康情報取得部１０１が取得していない健康情報を分析対象とする分析プログラムを「新規項目」として表示するものであり、また、当該健康情報を測定することが可能な商品を示す商品広告情報を同時に表示するものである。
【０１１７】
新規項目提案部１０９は、分析プログラム蓄積部１２２に記憶されている分析プログラムのそれぞれについて、その分析プログラム識別情報に関連付けられている分析テーブル情報を参照する。そして、その分析プログラムの実行に必須であることを示す必須項目情報が関連付けられた健康情報が、健康情報蓄積部１２１に記憶されているかを参照する。その結果、健康情報蓄積部１２１に記憶されていない場合には、その健康情報を測定することができる機器を商品とする商品広告情報を、商品広告情報蓄積部１２３から選択して取得し、新規項目提案表示領域１４４に表示させる。
【０１１８】
なお、新規項目提案部１０９は、新規項目提案表示領域１４４に新規項目提案画面を常に表示させていてもよいし、図示しない指示受付部によって健康支援端末３０から新規項目提案画面を表示するための指示を受け付けたときに表示させてもよい。
【０１１９】
また、新規項目提案部１０９は、図示しない動作検証部によって動作が検証され、安全性が確認された分析プログラムについてのみ、上述した処理を行なってもよい。
【０１２０】
これにより、健康情報分析サーバ１０は、新規項目提案部１０９によって、まだ取得していない健康情報を取得して送信するようユーザに積極的に促すことができる。また、その結果、この健康情報をユーザから取得した場合には、そのユーザの健康情報に対して実行可能な分析プログラムが増えるため、健康情報分析サーバ１０は、より多くの分析プログラムによってユーザの健康情報を多面的に分析することが可能となる。
【０１２１】
なお、新規項目提案部１０９は、健康情報取得部１０１が取得していない健康情報を分析対象とする分析プログラムのうち、関連付けられている評価情報に基づいて評価が高いものから順に新規項目提案表示領域１４４に表示させてもよい。新規項目提案部１０９は、後述する評価情報取得部１１０が分析プログラム識別情報と関連付けている評価情報に基づき、各分析プログラムについての評価を比較することができる。
【０１２２】
これにより、健康情報分析サーバ１０は、評価の高い分析プログラムから順に、これを新たに実行可能にするためにユーザに健康情報を取得して送信するよう促すことができる。ここで、評価が高い分析プログラムは、他のものよりも高い精度にて分析を行なうことができ、ユーザの健康状態により適した商品広告を提供できるなどの理由によって、ユーザからの評価が高いもの、すなわち優れた分析プログラムである可能性が高い。したがって、健康情報分析サーバ１０は、この健康情報をユーザから取得した場合には、そのユーザの健康情報に対してより優れた分析プログラムを実行することが可能となり、結果的にユーザによりよい分析結果および商品広告の提供を行なうことが可能になる。
【０１２３】
また、新規項目提案部１０９は、健康情報取得部１０１が取得していない健康情報を分析対象とする分析プログラムのうち、後述する購入処理部１１２が払い込んだ売上金の総額が大きいものから順に新規項目提案表示領域１４４に表示させてもよい。新規項目提案部１０９は、後述する売上げ情報管理部１１３が分析プログラム識別情報と関連付けている売上げ情報に基づき、各分析プログラムについての購入処理部１１２が払い込んだ売上金の総額を比較することができる。
【０１２４】
これにより、健康情報分析サーバ１０は、売上金の総額が大きい分析プログラムから順に、これを新たに実行可能にするためにユーザに健康情報を取得して送信するよう促すことができる。したがって、健康情報分析サーバ１０は、この健康情報をユーザから取得した場合には、そのユーザの健康情報に対してより優れた分析プログラムを実行することが可能となり、結果的にユーザによりよい分析結果および商品広告の提供を行なうことが可能になる。
【０１２５】
以上のように、健康情報分析装置２の健康情報分析サーバ１０は、分析プログラム取得部１０６によって、異なる作成者によって作成された複数の分析プログラムを取得することができる。また、実行部１０４が、記憶部１０２に記憶されたそれぞれの分析プログラムを実行することによって、同じ健康情報から複数の分析結果情報を作成することができる。さらに、表示制御部１０５がこれらの複数の分析結果情報の分析結果をそれぞれ表示部１３３に表示させることによって、ユーザの健康状態を種々の側面から分析した結果をユーザに提供することができる。そのため、これらの複数の分析結果を参照することによって、ユーザに、種々の健康情報どうしの重要な因果関係などを見出させることが可能となる。このように、健康情報分析サーバ１０は、ユーザの健康に関する多面的な分析結果を提供することができる。
【０１２６】
また、実行部１０４が、ユーザから受け付けた選択情報に基づいて分析プログラムを実行することによって、ユーザに自由に実行する分析プログラムを選択させることができるため、健康情報分析サーバ１０は、ユーザに所望の分析結果を提供することができる。
【０１２７】
また、健康情報分析サーバ１０は、分析プログラムに基づいて、ユーザの健康を分析した分析結果とともに、ユーザの健康を支援するための商品広告情報をユーザに提供することができる。また、健康情報分析サーバ１０は、商品広告情報取得部１０７によって複数の提供者から商品広告情報を取得することが可能であり、分析プログラムに基づいて多数の商品広告情報の中からユーザの健康状態の改善などに最適な商品をユーザに提供することが可能となる。
【０１２８】
これにより、商品広告情報の提供者は、健康情報分析装置２が取得している分析プログラムを利用して、ユーザに商品広告情報を提供することができるため、提供者自身が分析プログラムを作成する必要がなく、開発コストを抑えることができる。
【０１２９】
次に、健康情報蓄積部１２１、分析プログラム蓄積部１２２、及び商品広告情報蓄積部１２３が有するデータベース構造の具体例について、それぞれ以下に説明する。
【０１３０】
（健康情報蓄積部１２１が有するデータベース構造の具体例）
健康情報蓄積部１２１が有するデータベース構造の具体例を図３〜図５に示す。図３〜図５は、本発明の一実施形態に係る健康情報分析装置の健康情報蓄積部が有するデータベース構造の一例を示す図である。
【０１３１】
図３に、健康情報を識別する健康情報識別情報と、その健康情報として関連付けて記憶すべき情報を示す健康情報テーブル情報とが関連付けられているデータベース構造の一例を示す。図３に示す例では、特定の測定機器によって得られる健康情報を識別する健康情報識別情報と、健康情報テーブル情報とが関連付けられている。例えば「△△（株）」の測定機器「ＳＨ＿ＤＩＥＴ＿１１２１」についての健康情報識別情報は、この測定機器によって取得（入力）された健康情報（食事情報）として記憶するべき情報を示す健康情報テーブル情報である「食事テーブル」（テーブル名がＤｉｅｔ＿ＳＨ）に関連付けられる。
【０１３２】
健康情報テーブル情報の一例として、図４に、「食事テーブル」（Ｄｉｅｔ＿ＳＨ）のデータベース構造の例を示す。図４に示す「食事テーブル」には、食事情報として関連付けて記憶すべき情報として、ユーザ識別情報である個人ＩＤ、健康情報を取得した日時（データ登録日時）、食事情報が示す食事に含まれる各種の栄養素などがリストされている。
【０１３３】
図５に、複数のユーザの健康情報（食事情報）が蓄積されたデータベース構造の一例を示す。それぞれの健康情報は、例えば図４のような健康情報テーブル情報にリストされた項目に関する情報が互いに関連付けられたものである。
【０１３４】
なお、図３〜図５に示したようなデータベース構造は、健康情報を測定するための各種の測定機器に対応して作成されたものであってもよく、記憶部１０２に予め記憶されていてもよい。
【０１３５】
また、後述する実行部１０４は、上述したようなデータベース構造によって健康情報蓄積部１２１に蓄積された健康情報を、データベースに接続するためのミドルウェアなどを用いて取得することができる。
【０１３６】
（分析プログラム蓄積部１２２が有するデータベース構造の具体例）
分析プログラム蓄積部１２２が有するデータベース構造の具体例を図６〜図８に示す。図６〜図８は、本発明の一実施形態に係る健康情報分析装置の分析プログラム蓄積部が有するデータベース構造の一例を示す図である。
【０１３７】
図６に、分析プログラムを識別する分析プログラム識別情報と、作成者識別情報と、分析テーブル情報とが関連付けられているデータベース構造の一例を示す。図６に示す例では、分析プログラム「Ａ分析」を識別する分析プログラム識別情報と、作成者「△△（株）」を識別するための作成者識別情報と、分析テーブル情報「Ａ分析テーブル」（テーブル名がＡ＿Ａｎａｌｙｓｉｓ）とが関連付けられている。
【０１３８】
分析テーブル情報の一例として、図７に、「Ａ分析テーブル」（Ａ＿Ａｎａｌｙｓｉｓ）のデータベース構造の例を示す。図７に示す「Ａ分析テーブル」には、各栄養素（炭水化物〜ミネラル等）のそれぞれに関する健康情報を識別する健康情報識別情報と、分析プログラム「Ａ分析」の実行に必須な健康情報であるか否か（Ｔ／Ｆ）を示す必須項目情報、及び分析プログラム「Ａ分析」の実行に利用可能な情報であるか否か（Ｔ／Ｆ）を示す利用可能情報とが関連付けられている。例えば、図７に示す「Ａ分析テーブル」において「炭水化物」についての健康情報は、「Ａ分析」の実行に必須ではない（Ｆ）が利用可能（Ｔ）であるため、健康情報蓄積部１２１に蓄積されていなくても「Ａ分析」の実行が可能であるが、蓄積されていれば、分析対象とされることができる。
【０１３９】
また、図７に示す分析テーブルには、各栄養素についての健康情報識別情報と、その健康情報の下層に含まれる健康情報についての分析テーブル（参照テーブル）があるか否か（Ｔ／Ｆ）を示す情報とが関連付けられている。
【０１４０】
図８に、「ビタミン」の下層に含まれる健康情報についての分析テーブルにおけるデータベース構造の例を示す。図８に示す分析テーブルには、上述した分析テーブルと同様に、「ビタミン」に含まれる健康情報（ビタミンＡ〜リン等）についての健康情報識別情報と、必須項目情報と、利用可能情報とが関連付けられている。
【０１４１】
なお、分析テーブル情報は、分析プログラム取得部１０６が分析プログラムとともに取得してもよいし、分析プログラムを取得した後に、図示しないデータ処理部によって作成されてもよい。
【０１４２】
（商品広告情報蓄積部１２３が有するデータベース構造の具体例）
商品広告情報蓄積部１２３が有するデータベース構造の具体例について、図９を参照して説明する。図９は、本発明の一実施形態に係る健康情報分析装置の商品広告情報蓄積部が有するデータベース構造の一例を示す図である。
【０１４３】
商品広告情報は、まず食事に関する商品を識別するための識別情報、器具に関する商品を識別するための識別情報、アプリケーションソフトに関する商品を識別するための識別情報、人に関する商品を識別するための識別情報などのいずれかにそれぞれ関連付けられることによって分類される。
【０１４４】
食事に関する商品を識別するための識別情報に関連付けられた商品広告情報は、さらにその詳細情報に基づいて、サプリメント（以下、「サプリ」と略す。）に関する商品を識別するための識別情報、飲料に関する商品を識別するための識別情報、弁当に関する商品を識別するための識別情報などのいずれかにそれぞれ関連付けられることによって分類される。
【０１４５】
サプリに関する商品を識別するための識別情報に関連付けられた商品広告情報は、さらにその詳細情報に基づいて、ビタミンＢ１に関する商品を識別するための識別情報、ビタミンＢ２に関する商品を識別するための識別情報などのいずれかに関連付けられることによって分類される。
【０１４６】
図９の例では、「ビタミンＢ１」には、ＳＵＰ＿Ｂ１＿ＳＨ２、ＳＵＰ＿Ｂ１＿ＳＨ９等の商品広告情報が分類されている。また、「健康機器」に分類される商品としては、血圧計、歩数計等があり、「血圧計」には、ＢＰ＿ＳＨ００２、ＢＰ＿ＳＨ００８等の商品広告情報が分類されている。
【０１４７】
〔購入管理サーバ２０〕
購入管理サーバ２０は、評価情報取得部（評価情報取得手段）１１０と、購入情報取得部（購入情報取得手段）１１１と、購入処理部（購入処理手段）１１２と、売上げ情報管理部（売上げ情報管理手段）１１３とを備えている。
【０１４８】
評価情報取得部１１０は、ユーザによる分析プログラムの評価を示す評価情報を評価情報送信部１３４から取得する。そして、評価情報取得部１１０は、その評価情報に対応する分析プログラムを示す分析プログラム識別情報と評価情報とを関連付ける。
【０１４９】
評価情報取得部１１０は、購入情報取得部１１１から、分析プログラムが実行されることによって商品広告表示領域１４２に表示された商品広告情報の商品についての購入情報を取得したことを示す情報を受信したときに、当該分析プログラムについてユーザに評価させるための画面を表示部１３３に表示させる。当該画面は、例えばアンケート形式にて分析プログラムの評価についての質問が表示されたものであってもよい。そして、当該画面を見たユーザが、入力装置等によって入力した評価情報を、評価情報送信部１３４から取得する。
【０１５０】
評価情報は、分析プログラムの評価を表す評価値を示す情報である。評価情報に示される評価値は、例えば分析プログラムを段階的に評価した結果であってもよく、例えば５段階で評価した結果であってもよい。これにより、健康情報分析装置２は、複数の分析プログラムについて、評価情報に示される評価値を比較することによって評価が高いか低いかを判定することができるので、評価が高い分析プログラムから順に実行するなどの制御が可能となり、ユーザの満足度を向上させることができる。
【０１５１】
購入情報取得部１１１は、健康支援端末３０の表示部１３３の商品広告表示領域１４２及び新規項目提案表示領域１４４に表示された商品広告情報のうち、ユーザが選択した商品広告情報に示される商品を購入することを示す購入情報を、購入情報送信部１３５から取得して、購入処理部１１２及び売上げ情報管理部１１３に送信する。また、購入情報取得部１１１は、分析プログラムが実行されることによって商品広告表示領域１４２に表示された商品広告情報の商品についての購入情報を取得したときは、そのことを示す情報を評価情報取得部１１０に送信する。
【０１５２】
購入処理部１１２は、購入情報取得部１１１から受信した購入情報に基づき、当該購入情報に対応する商品の購入処理を行なう。例えば、購入処理部１１２は、購入情報に対応する商品についての商品広告情報に基づいて、その商品広告情報の提供者に商品を発注する。また、購入処理部１１２は、ユーザに対して、購入代金を支払うよう請求するための処理を行なう。また、購入処理部１１２は、ユーザから支払われて得た売上金のうち、商品の代金に相当する額を商品広告情報の提供者の口座に払い込むための処理を行なうとともに、その売上金の一部を、その商品を選択した分析プログラムを提供した者の口座に払い込むための処理を行なう。
【０１５３】
購入処理部１１２が分析プログラムを提供した者の口座に払い込む金額は、売上金に対する予め定められた割合の額であってもよいし、定額であってもよい。また、購入処理部１１２は、売上金の一部を、健康支援システム１を提供した者の口座に払い込むための処理を行なってもよい。
【０１５４】
なお、ユーザからの支払いは、クレジットカードを利用する方法、銀行振込を利用する方法、代金引換等の公知の方法を用いることができる。購入処理部１１２は、例えばこれらの方法によってユーザから支払われた売上金が振り込まれている所定の口座から、上述した各口座に所定の金額が払い込まれるよう、銀行のサーバ等を利用して処理することができる。
【０１５５】
ユーザに代金を請求するための連絡先、分析プログラムを提供した者の口座番号、商品広告情報の提供者の口座番号は、それぞれユーザ識別情報、作成者識別情報、広告提供者識別番号に関連付けられて記憶部１０２に記憶されていてもよい。また、ユーザから支払われた売上金が振り込まれる所定の口座の番号が記憶部１０２に記憶されていてもよい。
【０１５６】
このように、分析プログラムの提供者には、商品が購入されるたびに後述する購入処理部１１２によって売上げ金の一部が支払われるため、ユーザにより頻繁に選択されて商品が購入される分析プログラムの提供者には、より多くの報酬が支払われることとなる。
【０１５７】
上記の構成であれば、分析プログラムを提供した者は、その分析プログラムが選択した商品広告情報の商品が購入されることによって収益を得ることができる。また、ユーザによって頻繁に選択される分析プログラムを提供した者は、その分析プログラムが選択した商品広告情報の商品が購入される可能性が高くなるため、より高い収益を得ることが可能になる。そのため、健康情報分析装置２は、分析プログラムを提供する者に対し、より優れた分析プログラムを提供する意欲を高めることができ、その結果より優れた分析プログラムを取得することが可能になる。
【０１５８】
したがって、本発明に係る健康情報分析装置２を長期的に使用することによって、取得する分析プログラムの質的な向上が見込まれるので、結果的にユーザによりよい分析結果および商品広告の提供を行なうことが可能になる。
【０１５９】
売上げ情報管理部１１３は、購入情報取得部１１１が購入情報を取得したときに、この購入情報とともに、この購入情報に対応する商品を選択した分析プログラムに対応する分析プログラム識別情報を取得する。分析プログラム識別情報は、例えば購入情報に関連付けられており、購入情報取得部１１１が健康支援端末３０から購入情報とともに取得したものであってもよい。また、売上げ情報管理部１１３は、購入情報を受け付けたときに、選択情報受付部１０３が直前に受け付けた選択情報を取得し、当該選択情報が示す分析プログラムの分析プログラム識別情報を取得してもよい。
【０１６０】
そして、売上げ情報管理部１１３は、購入情報に基づき、分析プログラムが選択した商品が購入されることによって生じる売上げを示す売上げ情報を作成して、当該分析プログラムを識別する分析プログラム識別情報と関連付ける。また、当該分析プログラム識別情報と関連付けられている売上げ情報が既に存在する場合には、この売上げ情報を、当該購入情報に基づいて更新する。
【０１６１】
このような構成であれば、購入管理サーバ２０は、売上げ情報管理部１１３によって、分析プログラムにより選択された商品広告情報に示される商品が購入されることにより生じる売上げを、分析プログラムごとに管理することができる。
【０１６２】
〔健康支援端末３０〕
健康支援端末３０は、健康情報送信部１３１と、選択情報送信部１３２と、表示部１３３と、評価情報送信部１３４と、購入情報送信部１３５とを備えている。
【０１６３】
健康支援端末３０は、図示しない健康情報取得部において、ユーザの健康情報を取得する。
【０１６４】
健康情報取得部は、ユーザの健康情報を、個々の測定機器から取得してもよいし、ユーザによって健康情報が入力された入力装置等から取得してもよい。健康情報取得部は、健康支援端末３０が備える図示しない通信インタフェースなどを介して、有線通信、無線通信等を利用して健康情報を取得できる。有線通信としてはＵＳＢケーブル、シリアル／パラレルケーブルなどを利用することができ、無線通信としてはＺｉｇｂｅｅ、Ｂｌｕｅｔｏｏｔｈ、無線ＬＡＮ、非接触通信、赤外線通信などの公知の通信方式を利用することができる。また、健康支援端末３０は、種々の測定機器との通信を行ない健康情報を取得することを健康情報取得部に命令するための、ユーザによって利用可能なアプリケーションソフトを備えていてもよく、健康情報取得部は、ユーザがこのアプリケーションソフトを実行したときに、健康情報を取得してもよい。
【０１６５】
健康情報取得部が取得する健康情報としては、血圧値、体重、体脂肪、歩数などのユーザの健康に関する情報、食事における食事内容記録を示す情報、食事の写真を示す情報などであってもよい。健康支援端末３０は、複数の通信方式を利用した通信を行なうことが可能なように構成されていることが好ましく、健康情報取得部は、通信する対象の機器等によって、それぞれ適した通信方式を選択してもよい。
【０１６６】
なお、健康情報取得部は、他の機器等からではなくユーザから直接的に健康情報を取得するものであってもよい。例えば、健康情報取得部は、ユーザの歩数を計測する歩数計などであってもよい。
【０１６７】
健康情報送信部１３１は、健康支援端末３０が備える図示しない通信インタフェースなどを介して、健康情報取得部が取得した健康情報を健康情報分析サーバ１０に送信する。健康情報送信部１３１は、健康情報とともに、ユーザ識別情報、この健康情報が取得された日時等を示す情報、この健康情報を測定した測定機器を示す情報などを関連付けて送信することが好ましい。
【０１６８】
健康情報送信部１３１は、健康情報取得部と同様に有線通信、無線通信等を利用して健康情報を送信してもよいし、インターネット、電話回線ネットワークなどを経由して健康情報を送信してもよい。なかでも、健康情報送信部１３１は、インターネット等に接続されているルータ等の機器に、有線通信、無線通信等を利用して健康情報を送信し、その後この機器からインターネット等を介して健康情報分析サーバ１０に健康情報を送信することが好ましい。
【０１６９】
また、健康情報送信部１３１は、例えばネットワーク通信において広く利用されているｈｔｔｐ（ｓ）プロトコル、ｆｔｐプロトコルなどの既存のプロトコルを利用して健康情報を送信してもよい。また、ブラウザをインタフェースとして用いる方法を利用してもよい。これにより、例えば健康支援端末３０としてパソコンを用いる場合には、ユーザは、このパソコンから健康情報分析サーバ１０への健康情報の送信を容易に行なうことができる。
【０１７０】
なお、健康支援端末３０から健康情報分析装置２への健康情報などの送信は、これらの送信方法に限らず、種々のデータ形式と種々の送信方法とを組み合わせた独自の方法によって行なわれるものであってもよい。
【０１７１】
選択情報送信部１３２は、複数の分析プログラムのうちの１つを選択するための選択情報を健康情報分析サーバ１０に送信する。選択情報送信部１３２は、図示しない指示受付部がユーザから選択情報を送信するための指示を受け付けたときに、選択情報を送信するものであってもよい。
【０１７２】
表示部１３３は、健康支援端末３０から受信した情報を表示するための表示部であり、分析結果表示領域１４１と、商品広告表示領域１４２と、分析プログラム表示領域１４３と、新規項目提案表示領域１４４とを有している。なお、表示部１３３は、健康支援端末３０から、これらの領域に表示すべき情報を受信したときにこれらの領域を有していればよく、これらの領域に表示すべき情報を受信していないときには、これらの領域の代わりに、別の情報を表示するための領域を有するものであってもよい。
【０１７３】
分析結果表示領域１４１は、表示制御部１０５によって、分析結果が表示される領域である。分析結果表示領域１４１には、分析プログラムの命令にしたがって実行部１０４が作成した分析結果情報に基づいて、グラフなどの画像、アドバイスなどのテキストが表示される。なお、グラフなどを含む画像ファイルは、分析プログラム表示領域１４３に表示されるファイル、商品広告表示領域１４２に表示されるファイルなどとともに、ユーザインタフェース画面内に適切な場所に組み込まれてもよい。また、インタラクティブなＦｌａｓｈ、ＳｉｌｖｅｒＬｉｇｈｔなどが適切な場所に配置されてもよい。また、ＪａｖａＳｃｒｉｐｔによって表示されてもよいし、ＨＴＭＬ５などの描画機能によって表示されても良い。．ＮＥＴプログラム、Ｊａｖａなどが用いられてもよい。さらに、グラフが表示される場合には、リッチインターネットアプリケーション（ＲＩＡ）が用いられることが好ましい。
【０１７４】
商品広告表示領域１４２は、表示制御部１０５によって、商品広告情報が表示される領域である。これにより、ユーザに、商品広告表示領域１４２に表示された商品広告情報のうちのいずれかを自由に選択させることができる。ユーザは、図示しない入力装置等により入力することによって、選択した商品広告情報の商品についての購入情報を送信するための指示を健康支援端末３０に入力することができる。
【０１７５】
分析プログラム表示領域１４３は、分析プログラム表示制御部１０８によって、分析プログラム選択画面が表示される領域である。これにより、ユーザに、分析プログラム表示領域１４３に表示された分析プログラムのうちのいずれかを自由に選択させることができる。ユーザは、図示しない入力装置等により入力することによって、選択した分析プログラムを示す選択情報を送信するための指示を健康支援端末３０に入力することができ、その結果、選択した分析プログラムが実行されて作成された分析結果と、選択された商品広告情報とを閲覧することができる。
【０１７６】
新規項目提案表示領域１４４は、新規項目提案部１０９によって新規項目提案画面が表示される領域である。これにより、ユーザに、どの健康情報を新たに登録すればどのような分析プログラムを利用することができるか、また、その健康情報を測定することが可能な商品が何かを知らせることができる。ユーザは、図示しない入力装置等により入力することによって、新規項目提案表示領域１４４に表示された商品についての購入情報を送信するための指示を健康支援端末３０に入力することができる。
【０１７７】
評価情報送信部１３４は、商品の購入時に購入管理サーバ２０の評価情報取得部１１０によって表示部１３３に表示された、分析プログラムについてユーザに評価させるための画面を見たユーザにより、入力装置等によって入力された評価情報を、評価情報取得部１１０に送信する。
【０１７８】
購入情報送信部１３５は、商品広告表示領域１４２に表示された商品広告情報、又は新規項目提案表示領域１４４に表示された商品広告情報のうちの１つの商品を購入するための購入情報を、購入管理サーバ２０に送信する。購入情報送信部１３５は、図示しない指示受付部がユーザから購入情報を送信するための指示を受け付けたときに、その購入情報を送信するものであってもよい。
【０１７９】
〔健康情報分析装置２が行なう処理の例〕
次に、健康情報分析装置２が、健康支援端末３０からの選択情報を受け付けて分析結果を健康支援端末３０の表示部１３３に表示するまでの処理の流れについて説明する。
【０１８０】
図１０は、本発明の一実施形態に係る健康情報分析装置が行なう処理の一例を示すフロー図である。まず、ユーザは、分析プログラム表示領域１４３に表示された複数の分析プログラムの中から１つを選択して、図示しない入力装置等を用いて健康支援端末３０に入力する（ステップＳ１１）。選択情報送信部１３２は、健康情報分析装置２の健康情報分析サーバ１０に選択情報を送信する。
【０１８１】
健康情報分析サーバ１０では、選択情報受付部１０３が選択情報を受信することによって、実行部１０４がこの選択情報に示される分析プログラムを分析プログラム蓄積部１２２から取得して、実行を開始する（ステップＳ１２）。
【０１８２】
実行部１０４は、分析プログラムからの命令にしたがって、所定の期間内に取得された所定の健康情報を健康情報蓄積部１２１から読み込む。そして、読み込んだ健康情報をグラフ表示するための分析結果情報を作成する（ステップＳ１３）。
【０１８３】
次に、実行部１０４は、分析プログラムからの命令にしたがって、作成した分析結果情報に基づいて商品広告情報を選択して読み込む（ステップＳ１４）。実行部１０４は、作成した分析結果情報と、選択した商品広告情報とを、表示制御部１０５に送信する。
【０１８４】
表示制御部１０５は、受信した分析結果情報に基づき分析結果を表示部１３３の分析結果表示領域１４１に表示すると共に、受信した商品広告情報を商品広告表示領域１４２に表示する（ステップＳ１５）。
【０１８５】
〔実行部１０４が行なう処理の例〕
次に、実行部１０４が、分析プログラムからの命令にしたがって分析結果情報を作成するとともに商品広告情報を選択するまでの、処理の一例について説明する。なお、ここで示す例は一例であり、実行部１０４が行なうこととなる処理は、実行する分析プログラムによって異なるものとなる。
【０１８６】
図１１は、本発明の一実施形態に係る健康情報分析装置の実行部が分析プログラムからの命令にしたがって行なう処理の一例を示すフロー図である。
【０１８７】
実行部１０４は、選択情報受付部１０３が選択情報を受け付けたときに、選択情報に基づいて分析プログラムの実行を開始する（ステップＳ２１）。
【０１８８】
実行部１０４は、分析プログラムからの命令にしたがって、その実行日を起点に、過去１ヶ月間に取得された所定のユーザの食事情報を全て取得する。具体的には、例えば図５に示すようなデータベースから、所定のユーザを示すユーザ識別情報に関連付けられた食事情報を全て取得する（ステップＳ２２）。
【０１８９】
実行部１０４は、取得した食事情報に基づき、主食、副菜、主菜、牛乳・乳製品、及び果物の５つの区分における構成比率を算出し、これをグラフ表示するための分析結果情報を作成する（ステップＳ２３）。
【０１９０】
なお、構成比率の算出方法としては、特に限定されないが、ここでは平成１７年６月に農林水産省及び厚生労働省によって作成された食事バランスガイドの考えを用いる場合について説明する。この考えでは、毎日の食事を主食、副菜、主菜、牛乳・乳製品、及び果物の５つに区分し、区分ごとに「つ（ＳＶ）」という単位を用いて摂取量の適量を定めておき、この適量に基づいて構成比率を算出する。
【０１９１】
例えば、日常の活動量が少ない１２〜６９歳の男性では、一日の摂取量の適量は、それぞれ、主食５−７つ（ＳＶ）、副菜５−６つ（ＳＶ）、主菜３−５つ（ＳＶ）、牛乳・乳製品２つ（ＳＶ）、及び果物２つ（ＳＶ）と定めることができる。そして、それぞれの区分の摂取量について、この適量を用いて正規化することにより、構成比率を算出する。例えば、これらの５つの区分をそれぞれ適量摂取した場合には、主食、副菜、主菜、牛乳・乳製品、及び果物の５つの区分における構成比率は２０％ずつとなる。
【０１９２】
実行部１０４は、このような構成比率を１日ごとに算出し、これをグラフ表示するための分析結果情報を作成する。表示制御部１０５は、この分析結果情報に基づいて、分析結果表示領域１４１にグラフ表示する（図１２の分析結果表示領域１４１を参照）。
【０１９３】
次に、実行部１０４は、分析結果情報に基づいて、構成比率が最も少ない区分を抽出する（ステップＳ２４）。なお、実行部１０４は、例えば、過去１ヶ月間のうち、実行日に近い時期に特に構成比率が少ない区分を選択してもよい。例えば実行日に近い時期の食事情報には大きい重み付けを行ない、実行日から過去にさかのぼるにつれて少ない重み付けを行なうことによって、実行日に近い時期に特に構成比率が減少している区分を選択的に抽出することができる。ここでは、実行部１０４は、構成比率が最も少ない区分として「果物」を抽出する場合を例にして説明する。なお、実行部１０４は、構成比率が最も少ない区分として、複数の区分を抽出してもよい。
【０１９４】
次に、実行部１０４は、ステップＳ２４において抽出した区分において、その区分に含まれる各栄養素について構成比率をさらに算出し（ステップＳ２５）、構成比率が最も少ない栄養素を抽出する（ステップＳ２６）。構成比率は、上述したような方法で算出できる。ここでは、実行部１０４は、「果物」の区分に含まれる各栄養素の構成比率を算出し、構成比率が最も少ない栄養素として「ビタミンＢ１」を抽出する場合を例にして説明する。これにより、実行部１０４は、ユーザの食事に不足する栄養素を抽出することができる。
【０１９５】
なお、「栄養素」としては、例えば各種ビタミン、ミネラル、脂質、糖質、タンパク質、食物繊維等が挙げられる。また、実行部１０４は、構成比率が最も少ない栄養素として、複数の栄養素を抽出してもよい。
【０１９６】
次に、実行部１０４は、ステップＳ２６において抽出した栄養素に基づき、商品広告情報を抽出する（ステップＳ２７）。例えば実行部１０４は、分析プログラムに含まれる商品広告選択条件情報に基づいて、ステップＳ２６において抽出した栄養素を補うための商品を示す商品広告情報を抽出する。
【０１９７】
例えば、実行部１０４は、ビタミンＢ１を補うための商品を、商品広告情報蓄積部１２３が有する図９に示すようなデータベースから検索する。実行部１０４は、まず「食事」に分類されている商品を検索し、その中から「サプリ」に分類されている商品を検索し、その中から「ビタミンＢ１」に分類されている商品を検索する。このような検索を行なうための情報は、商品広告選択条件情報に含まれる。
【０１９８】
実行部１０４は、ステップＳ２７において抽出した複数の商品広告情報の中から、ステップＳ２５において算出された構成比率が２番目に少なかった栄養素をより多く含む商品の商品広告情報を選択する（ステップＳ２８）。
【０１９９】
例えば、ステップＳ２５において算出された構成比率が２番目に少なかった栄養素が「ビタミンＣ」である場合には、ステップＳ２７において抽出した複数の商品広告情報の中から、ビタミンＣをより多く含む商品の商品広告情報から順に選択する。
【０２００】
以上のステップにより、実行部１０４は、分析結果情報を作成するとともに、商品広告情報を選択する。
【０２０１】
なお、実行部１０４は、ステップＳ２７において抽出した商品広告情報を選択してもよい。また、実行部１０４は、分析プログラムの命令にしたがって、予め定められた数の商品広告情報を選択してもよい。また、実行部１０４は、分析プログラムの命令にしたがって、特定のカテゴリに分類されている商品広告情報から選択してもよい。例えば、実行部１０４は、分析プログラムの命令にしたがって、サプリに分類されている商品広告情報から２つを選択し、飲料に分類されている商品広告情報から２つを選択し、栄養士のアドバイスについての商品広告情報から１つを選択するというように、複数の特定のカテゴリからそれぞれ所定の数ずつの商品広告情報を選択してもよい。
【０２０２】
〔表示部１３３に表示される画面の例〕
次に、表示部１３３に表示される画面の具体例について、図１２〜１５を参照して説明する。図１２及び図１３は、図１１に示す処理によって表示部１３３に表示される画面の一例を示す図である。なお、図１２には、分析プログラムの分析対象が食事内容を示す健康情報である場合における画面の例を示し、図１３には、分析プログラムの分析対象が、体重、血圧、摂取カロリー及び運動能力を示す健康情報である場合における画面の例を示す。
【０２０３】
健康支援端末３０の表示部１３３には、図１２及び図１３の左上に示すように、ユーザ識別情報である個人ＩＤが表示される。この個人ＩＤは、例えば健康情報分析サーバ１０のＷＥＢサイトにおけるユーザの認証ＩＤであってもよい。
【０２０４】
表示部１３３には、ユーザの健康情報を健康情報分析サーバ１０に登録する指示をユーザから受け付けるための「登録」ボタンを表示する登録表示領域１４５がある。登録表示領域１４５に表示される「登録」ボタンは、入力装置等によってユーザにより選択可能になっており、ユーザがこの「登録」ボタンを選択すると、健康情報送信部１３１は、すでに図示しない健康情報取得部が取得している健康情報を取得して健康情報分析サーバ１０に送信する。
【０２０５】
なお、健康情報送信部１３１は、食事写真などの画像を示す健康情報を送信する場合には、健康支援端末３０における図示しない記憶部に記憶されている画像又は画像が保存されているフォルダなどを表示部１３３に表示させ、ユーザが選択したものを送信してもよい。
【０２０６】
また、表示部１３３には、「閲覧」ボタンが表示されている。この「閲覧」ボタンは、入力装置等によってユーザにより選択されると、図示しない表示制御部が、既に健康情報分析サーバ１０に送信した健康情報を表示部１３３に表示してもよい。この健康情報は、健康情報分析装置２によって分析される前のものであり、図示しない記憶部に記憶されている。表示制御部は、この健康情報について、例えばその測定値をグラフなどにより表示してもよいし、その通信記録などの履歴を表示してもよい。
【０２０７】
分析プログラム表示領域１４３には、複数の分析プログラムについて、その名前およびその作成者が表示された分析プログラム選択画面が表示される。これらの分析プログラムの名前の部分は、入力装置等によってユーザが選択可能なボタンとなっている。このボタンがユーザによって選択されると、選択情報送信部１３２は、その分析プログラムについての選択情報を健康情報分析サーバ１０に送信する。その結果、分析結果表示領域１４１に、その分析プログラムに基づく分析結果が表示される。また、分析プログラム表示領域１４３に表示される分析プログラムとともに、その分析プログラムの評価が星印などによって表示される。また、分析プログラムは、評価の高い順に表示されてもよい。
【０２０８】
分析結果表示領域１４１には、実行された分析プログラムの作成者の名前、分析結果を示すグラフ、コメント等が表示される。例えば図１２の分析結果表示領域１４１には、主食、副菜、主菜、牛乳・乳製品、及び果物の摂取量の構成比率が日別にグラフ化されたものが表示されている。これは、例えば、年齢、性別によって適量を定めておき、この適量をそれぞれ２５％として実際の摂取量の構成比率を全体が１００％となるように算出し、表したグラフである。このグラフから、果物の摂取量が他のものに比べて少ないことが理解できる。
【０２０９】
また、分析結果表示領域１４１には、ユーザが選択可能なボタンが表示されていてもよい。このボタンは、その分析プログラムに基づいて作成された分析結果情報に含まれる他の情報、例えばより詳細な分析結果、具体的なアドバイスなどを表示させるためのボタンである。ユーザがこのボタンを入力装置等によって選択することによって、図示しないデータ送信部が、そのボタンに対応する情報を表示する指示を健康情報分析サーバ１０に送信する。健康情報分析サーバ１０の表示制御部１０５は、受け付けた指示に基づいて、そのボタンに対応する情報を分析結果表示領域１４１に表示させる。
【０２１０】
例えば、図１２に示すように、分析結果表示領域１４１には、「成分」のボタンが表示され、このボタンをユーザが選択することによって、各食事内容についてのより詳細な分析結果が表示されてもよい。また、例えば「予測」のボタンが表示され、このボタンをユーザが選択することによって、過去の食事バランス、摂取カロリー、体重データ、運動データなどから予測される今後の体重の推移、過去の食事の偏りなどから予測される体の不調などが表示されてもよい。また、例えば「長期履歴」のボタンが表示され、このボタンをユーザが選択することによって、過去の数カ月、数年などの期間における健康情報の傾向を示すグラフなどが表示されてもよい。また、例えば「アドバイス」のボタンが表示され、このボタンをユーザが選択することによって、分析結果が文章によって表示されてもよい。なお、この文章は、分析結果に基づいて、予め作成されて記憶されている文書を選択して組み合わせるなどして作成されたものであってもよい。
【０２１１】
図１４は、図１２に示す画面に表示された「アドバイス」ボタンが選択されることによって表示部に表示される画面の一例を示す図である。
【０２１２】
商品広告表示領域１４２には、実行された分析プログラムに基づき選択された商品広告情報が表示される。例えば図１２に示す商品広告表示領域１４２には、「果物」の摂取量が少ないという分析結果に基づいて、この果物の不足を補うために選択された、「サプリメント」についての商品広告情報と、栄養士によるアドバイスを受けられるサービスについての商品広告情報とが表示されている。各商品広告情報は、その商品を購入するための画面へのリンクとともに表示される。
【０２１３】
また、表示部１３３の新規項目提案表示領域１４４には、新規項目提案画面が表示される。なお、図１２及び図１３に示す例では、通常状態では新規項目提案表示領域１４４は小さく、新規項目提案画面を表示するためのボタンが表示されている。そして、ユーザによってこのボタンが選択されたときに、図示しない指示送信部が健康情報分析サーバ１０に新規項目提案画面を表示するための指示を送信し、この指示に基づいて新規項目提案部１０９が新規項目提案画面を新規項目提案表示領域１４４に表示させる。
【０２１４】
図１５は、本発明の一実施形態に係る健康情報分析装置が健康支援端末の表示部に表示させる新規項目提案画面の一例を示す図である。図１５に示すように、新規項目提案画面が表示されるときには、新規項目提案表示領域が表示部１３３全体に拡張されてもよい。図１５に示すように、新規項目提案画面には、健康情報取得部１０１が取得していない健康情報を分析対象とする分析プログラムが「新規項目」として表示され、また、当該健康情報を測定することが可能な商品を示す商品広告情報が、その商品を購入するための画面へのリンクとともに表示される。
【０２１５】
なお、図１２及び図１３に示す例は一例であり、表示部１３３の分析結果表示領域１４１に表示される内容、及び商品広告表示領域１４２に表示される商品広告情報は、分析プログラムによって異なる。
【０２１６】
〔付記事項〕
最後に、健康情報分析装置２の各ブロックは、ハードウェアロジックによって構成してもよいし、次のようにＣＰＵを用いてソフトウェアによって実現してもよい。
【０２１７】
すなわち、健康情報分析装置２は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである健康情報分析装置２の制御プログラムのプログラムコード（実行形式プログラム、中間コードプログラム、ソースプログラム）をコンピュータで読み取り可能に記録した記録媒体を、健康情報分析装置２に供給し、そのコンピュータ（またはＣＰＵやＭＰＵ）が記録媒体に記録されているプログラムコードを読み出し実行することによっても、達成可能である。
【０２１８】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、あるいはマスクＲＯＭ／ＥＰＲＯＭ／ＥＥＰＲＯＭ／フラッシュＲＯＭ等の半導体メモリ類、ＰＬＤ（Programmable logic device）等の論理回路類などを用いることができる。
【０２１９】
また、健康情報分析装置２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０２２０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２２１】
本発明は、ユーザの健康についての多面的な分析結果を提供することができるため、ユーザの健康を支援するための装置、サーバ、システムなどに好適に利用することができる。
【符号の説明】
【０２２２】
１      健康支援システム
２      健康情報分析装置
１０    健康情報分析サーバ
２０    購入管理サーバ
３０    健康支援端末
１０１  健康情報取得部（健康情報取得手段）
１０２  記憶部
１０３  選択情報受付部（選択情報受付手段）
１０４  実行部（実行手段）
１０５  表示制御部（表示制御手段）
１０６  分析プログラム取得部（分析プログラム取得手段）
１０７  商品広告情報取得部（商品広告情報取得手段）
１０８  分析プログラム表示制御部（分析プログラム表示制御手段）
１０９  新規項目提案部（新規項目提案手段）
１１０  評価情報取得部（評価情報取得手段）
１１１  購入情報取得部（購入情報取得手段）
１１２  購入処理部（購入処理手段）
１１３  売上げ情報管理部（売上げ情報管理手段）
１３３  表示部
１４１  分析結果表示領域
【図１】
2011258080.tif 000003
【図２】
2011258080.tif 000004
【図３】
2011258080.tif 000005
【図４】
2011258080.tif 000006
【図５】
2011258080.tif 000007
【図６】
2011258080.tif 000008
【図７】
2011258080.tif 000009
【図８】
2011258080.tif 000010
【図９】
2011258080.tif 000011
【図１０】
2011258080.tif 000012
【図１１】
2011258080.tif 000013
【図１２】
2011258080.tif 000014
【図１３】
2011258080.tif 000015
【図１４】
2011258080.tif 000016
【図１５】
2011258080.tif 000017